(57)【要約】      （修正有）【課題】多色発光源にし小型化が容易で、且つ認知視野域が広い。【解決手段】三原色Ｒ・Ｇ・Ｂ自動点滅ＬＥＤを光源にする安全表示装具三原色Ｒ・Ｇ・Ｂ自動点滅ＬＥＤは、レンズ部内部に反射機能、分散分光機能材を内蔵し、２次発光源群集局部を発光源とした放射型照明用ＬＥＤによって多色色彩発光の認知視野域の広い遠方からの識別を可能にした鮮明な色彩光が虹色発光のレインボーフルカラーライティングを実現した。【選択図】図４
0003119815.tif 000002
【実用新案登録請求の範囲】
【請求項１】
三原色Ｒ・Ｇ・Ｂ自動点滅ＬＥＤ素子を使用した夜間や暗い所での防犯、安全保障用・人畜存在、認知点灯の安全保障表示装具。
【請求項２】
電気回路の電源と回路の接続接点部位を位置可変機構にした接点間に貫通穴を設けた、軟質性絶縁体を設置する  且つ接点面の尖端状又は突起状接点が、外圧により貫通穴に誘導入し接触通電可能にする、スイッチ機能を兼ね備えた、回路の相互接点間に貫通穴付軟質性絶縁体と尖端又は突起面接点部位の組み合機構を特徴とする、接点兼スイッチ機能構造。
軟質性絶縁体の成材・形状又は不織布・スポンジ、網目状及び穴形状、加工等は問わずに包括するものとする。
【請求項３】
発光ダイオードは高透過性物質でレンズ型モールト製品のため発光素子に対し垂直に一方向集光光束の照明になる異方性や周辺照明に欠ける。
本考案は発光ダイオードの素子直前で切断して反射体や光分散素材を内蔵したレンズ機能を切断面に接合すること及び発光ダイオード生産時に記述する特性素材を内蔵するレンズ機能品も包囲する発光素子直前に反射・分光・分散機能素材を設置した、反射・分散・乱光群集部位を形成した。この反射・分散光群集部を二次光源とするＬＥＤ照明機能を備えた構造である。因ってフィラメント電球同様の円周配光分布を実現したもの。
【考案の詳細な説明】
【技術分野】
【０００１】    点灯表示装具で本考案は三原色Ｒ・Ｇ・Ｂ自動点滅ＬＥＤを光源とする人畜、物等の位置認知・存在認識を促す鮮明な多色彩光で識別安易な安全表示灯装具でセーフティーライトである。
【背景技術】
【０００２】    実用化されている点灯表示装置、特に防犯や安全性に関する装具はフィラメント電球、ＬＥＤ発光素子を含め全てが単色光光源である【０００３】    実用化されている防犯・安全保障に関するセーフティーライトは白色光や赤色の単色光源であり複色化には赤・緑・青等の有色光源を複数個を設置する方法以外成すべく技術が無い【０００４】    実用化されているセーフティーライトにはフィラメントタイプやＬＥＤの白色光源を用い光学フィルターによる波長変換フィルターや分光作用の応用素材を用いて高価になり小型化は困難である。
【考案の開示】
【考案が解決しようとする課題】
【０００５】    実用化されているＬＥＤ光源は、単色光で一方向照射の照明のため視野認知域が狭い、且つ多色色彩光源を設計するとＬＥＤ数が増加し小型化に固難を要し高価に成る。
【課題を解決しようとする課題】
【０００６】    安全表示装置又は装具の光源は単色ＬＥＤである。これを替えて三原色Ｒ・Ｇ・Ｂ自動点滅ＬＥＤを採用、当製品の特性、機能をフル活用且つ反射効果や分光機能素材を設置して二次的発光源群を形成して放射域を拡大。識別認知域を大巾に改善することが最も主要な特徴とする
【考案の効果】
【０００７】    実用化されている単色光ＬＥＤ製品を多色光化することはＬＥＤ数を増加する以外方法は無く小型化が固難である。
本考案は三原色Ｒ・Ｇ・Ｂ自動点滅ＬＥＤの採用で１個のＬＥＤで虹色全色発光と輝度の強弱及び滅衰点滅点灯を可能する自然界発光には無いファンタジックライテングが選り一層の識別、認知度を拡大し鮮明な放射照明効果が最大の特徴である。
【考案を実施するための最良の形態】
【０００８】    本考案は人やペットの健康指向の要望により夜間出室、夜間歩行機会が多い昨今事故件数も増加する。特に無燈火の自転車、歩行の人体認知の低下等多種多様の夜間事故多発の時代、軽薄短小で安全保障用表示燈装具の必然性は望むところ
本考案の小型で軽く遠方よりの存在認識、確認は相互信頼を増促注意力の増進が事故を防止する基本に基き単色光を三原色Ｒ・Ｇ・Ｂ・赤・緑・青の組み合せで虹色光源を実現夜間の暗い所でゆっくり変調する色彩の変化は他類に無く認知度を改善するレインボーフルカラー表示装具である。請求項１【０００９】    安全表示灯装具の小型化は三原色Ｒ・Ｇ・Ｂ自動点滅ＬＥＤ１ケの点灯で実現でき且つ電気回路の接点部の電極形状と貫通穴機構の軟質性絶縁体のスイッチ機構が小型化を容易する。請求項２【００１０】    安全表示灯装具の三原色Ｒ・Ｇ・Ｂ自動点滅ＬＥＤの発光素子直前に設置した反射機能材と分光機能の群集部は一方向照明を放射状照明に改新し視野域を増大、拡大することによりどの位置の死角を無くし識別・認知度を大きく改善した。請求項３【００１１】    本考案の最大効果は三原色Ｒ・Ｇ・Ｂ自動点滅ＬＥＤ１個による光源が虹色色彩発光を成すこと且つ請求項２及び項３の相乗効果で各部品サイズ域まで小型化され、各ユーザーが好む装飾品に接合でオリジナル品創作が可能。
【実施例１】
【００１２】    図１は本考案の１実施例の表示灯点灯基本回路である
１は三原色Ｒ・Ｇ・Ｂ自動点滅ＬＥＤ、２は時計用電池ＳＲ９２７ＷやＬＲ９３６、小型化にはＳＲ６２６シリーズと時計電池を採用する。重要なことはサイズと電池寿命の相関性にあり使用頻度を含む用途別設計である。【００１３】    図２は本考案の１実施例で図１の▲３▼スイッチ機構を局部拡大図で機能説明図である。電池と回路の接続部接点通電の電極機能と貫通穴軟質絶縁体を介して外圧により電極が誘導され電池接触する機構で尖端型電極が外圧に依り可動し貫通穴が尖端部を誘導入して接触する構成する、常圧時は軟質素材の特性圧で電極脱離且つ軟質素材圧で回路と各電池を固定する。【００１４】    図３は本考案の１実施例で図１の▲１▼の三原色Ｒ・Ｇ・Ｂ自動点滅ＬＥＤの改造・構成図で発光素子上に反射機能や分光機能を付加した開発品の１実施例である。市販品の三原色Ｒ・Ｇ・Ｂ自動点滅ＬＥＤのレンズ型胴体部を接断して反射素材及び分光・分散光素材を内蔵しレンズ機能部位を発光素子上に接合した構造【００１５】    本考案の安全表示装具の構成は【００１２】の簡素化した基本回路基き【００１３】と【００１４】の相乗効果である。人畜のアクセサリー効果の図４の完成図
【産業上の利用可能性】
【００１６】    夜間活動の時代近年は夜間の歩行者や弱者及びペットの夜間事故が多発傾向にあります
本考案の遠方よりの認識、放射状の直視効果更に夜間に鮮明な虹色発光の色彩発光体が揺れ動く景観は意外性に富み格段の存在認知度を高めるため、相互の注意気ずかいにより事故防止、軽減に有効し安全表示装具の機能を最大限に発揮することができる。
【図面の簡単な説明】
【００１７】
【図１】三原色Ｒ・Ｇ・Ｂ自動点滅ＬＥＤの安全表示装具の基本回路図
【図２】安全表示点灯用スイッチ機構の構成図
【図３】三原色Ｒ・Ｇ・Ｂ自動点滅ＬＥＤの二次光源原理実施図
【図４】安全表示装具の実施１例の犬の首輪に吊す２〜３種の実施図
【符号の説明】
【００１８】▲１▼  三原色Ｒ・Ｇ・Ｂ自動点滅ＬＥＤ
▲２▼  小型化に時計用ボタン電池採用  用途で装具の大小を設計する。
▲３▼  安全表示装具の表示点灯用スイッチ機能部
▲４▼  点灯用電源…電池
▲５▼  スイッチ機能を構成する貫通穴付軟質絶縁体
▲６▼  スイッチ機能を構成する尖端型接点・電極
▲７▼  ＬＥＤレンズ部を切断位置を示す
▲８▼  ＬＥＤ発光素子部を示す
▲９▼  ＬＥＤレンズ切断品
▲１０▼  開発品の反射機能材及び分散分光材を内蔵するレンズ内位置
▲１１▼  開発品の分散・分光機能材の位置兼２次光源群集部
▲１２▼  開発品の反射機能材及び分散・分光機能材を内蔵するレンス内位置
▲１３▼  開発品の反射機能及び分散光・分光機能付レンズ部品
▲１４▼  ９に１３を接合一体化した２次光源を形成した放射状照明用ＬＥＤの完成図
▲１５▼  安全表示装具の実施例２〜３種類の愛犬散歩時の首輪吊の姿図
▲１６▼  安全表示装具の実施例愛犬散歩時の首輪背持取付の姿図
▲１７▼  安全表示装具の実施例愛犬散歩時のバンド取付けの姿図
【図１】
0003119815.tif 000003
【図２】
0003119815.tif 000004
【図３】
0003119815.tif 000005
【図４】
0003119815.tif 000006
【手続補正書】
【提出日】平成17年7月24日(2005.7.24)
【手続補正１】
【補正対象書類名】実用新案登録請求の範囲
【補正対象項目名】全文
【補正方法】変更
【補正の内容】
【実用新案登録請求の範囲】
【請求項１】
三原色Ｒ・Ｇ・Ｂ自己点滅ＬＥＤ素子の直前に球状凹凸多面体レンズを付設した照明器具で球状凹凸多面体レンズに内蔵させた反射板や分光・分散機能材細片が反射を繰り返し乱光する光を集光して高輝度化して放射状配光分布域をひろめ周辺照明と視野角拡大が視覚を促し全方向視界域で設置の存在認識を改善する。且つ三原色自己点滅ＬＥＤ光源が多彩な発光色変化で誇張して更に存在位置を鮮明化させる夜間事故防止に対応した安全保障表示灯の照明器具。図１
【請求項２】
電気回路のスイッチ機構で電極接点間に貫通孔を設けた軟質性絶縁材を付設した軟質性絶縁材を介して遮断・接触を成し軟質性材料の残留圧力で開閉するスイッチ機構。且つ電極片面を尖端・突起状接点が外圧により貫通孔へ誘導圧入されて通電すると共に軟質性材料が回路、部品を固定・保持・機能を兼ねるパッキング機能を兼ね備えた構造の電気回路スイッチ  図２
【請求項３】
光学機能材料の反射や分光分散作用をもつ機能材細片をモールド型レンズ内に配位置内蔵し光学機能内蔵型レンズを発光ダイオードのレンズ機能部を切断した切断面に接合した構造を特徴とする照明器具で一光束・一方向の照射光を放射状に配光する二次発光源化するＬＥＤ用照明器具。図３
【請求項４】
発光ダイオードの直前に付設する曲面容器に液体を注入して封止込めた容器はレンズ作用を促す。このレンズ機能が光束を集光させて高輝度化する液体レンズ機能を特徴とする。この照明効果を取り付けた液体レンズ付きＬＥＤの表示灯装着具。
【手続補正２】
【補正対象書類名】明細書
【補正対象項目名】全文
【補正方法】変更
【補正の内容】
【考案の詳細な説明】
【技術分野】
【０００１】本考案は三原色Ｒ・Ｇ・Ｂ自己点滅内蔵のＬＥＤを使用した夜間の事故防止対応の人・畜・物等の位置認知、存在認識を促す鮮明な多色採光で識別容易な事故防止対応の安全保障表示灯装着具。
【背景技術】
【０００２】現在実用化されている自動点灯表示装置、特に防犯や安全性に関する装具はフィラメン電球やＬＥＤ光源を含めて全てが単色光源であった。【０００３】現在実用化されている防犯や安全に関する安全保障表示灯装具は白色光や赤色の単色光源のみで複色化には緑・青・黄色などの有色光源を複数個を組み合わせる増設以外に成すべく技術がなかったその為にコストも高価になり簡素で小型化も難しい欠点があった。【０００４】現在実用化されている安全保障表示灯装具はフィラメント電球やＬＥＤの白色光源を用いた光学フィルターにより波長変換フィルターを応用しているため複雑且つ高価になる。特に有色ＬＥＤは動作電位が異ると共に低輝度のため補助機能の増設が簡素化と小型化を困難する欠点があった。
【考案の開示】
【考案が解決しようとする課題】
【０００５】現在実用化されているＬＥＤ光源は単色光で一光束、一方向照明のため視野角・認知域が狭く且つ多色色彩光源を設計すると多種異るＬＥＤ素子数が増加し簡素で小型化も困難を要し必要以上に高価に成る欠点があった。
【課題を解決するための手段】
【０００６】現在実用化されている安全表示灯装置又は表示装具の光源は全て単色光源であった
本考案は三原色Ｒ・Ｇ・Ｂ自己点滅ＬＥＤの特性、機能をフル活用し且つ光束反射素材や分光分散を含む光学特性機能材の細片を内蔵して二次的発光源群の乱光部が放射状発光体を構成するもので視野角拡大による設置の識別認知域を大巾に改善することが最大の特徴である。
【考案の効果】
【０００７】現在実用化されている単色光ＬＥＤ製の照明具を多色彩化することは多種異る発色光ＬＥＤ素子を数多く増設する以外に方法はなく簡素な動作回路で小型化が非常に困難であった。
本考案は三原色Ｒ・Ｇ・Ｂ自己点滅ＬＥＤの採用で１個のＬＥＤ素子で虹色全色発光するＬＥＤ素子とその直前に付設した光学機能材細片を内蔵した球状凹凸多面体のレンズ効果により集光作用で高輝度化及び反射・分散効果で乱光化する放射状発光体が視野角を拡大して自然界発光には無いファンタジックライテングが選り一層の識別認知を改善され高輝度で鮮明な７色発光源の放射状照明効果が最大の特徴である。
【考案を実施するための最良の形態】
【０００８】本考案は人やペットの健康指向により夜間の歩行や運動機会が多い昨今事故件数も増加の一途であり特に無灯火の自転車や歩行者の人体認知の低下は多様な夜間事故が多発している、この対応に軽薄短小で安全保障用の認識表示灯装着具の必要性は望むところである。
小型で軽く遠方からの存在認識や確認は相互信頼を増促し事故を未然に防止する基本に基き視野角の大きい放射状発光源を考案した。既存する単色光源を三原色Ｒ・Ｇ・Ｂ自己点滅ＬＥＤに取り替え点滅効果とじんわり色が変る輝度の変調効果は際立った認知力を改善する他類に勝る画期的な装着表示灯装具である。請求項１、及び図１【０００９】  安全保障表示灯装具の小型化は三原色Ｒ・Ｇ・Ｂ自己点滅ＬＥＤ１個の点灯で多色彩発光を実現した且つ電気回路の接点部の電極間に貫通孔を設けた軟質性絶縁体を付設して外圧によって尖端接点部が貫通し接触するスイッチ機構が小型化を容易することができた。請求項２、図２【００１０】  安全表示灯装具の三原色Ｒ・Ｇ・Ｂ自己点滅ＬＥＤの直前に設置した反射機能材や分光、分散機能材細片群の乱光作用群集部が一光束、一方向照明を放射状照明光に改新して視野域を増加、拡大することにより視野死角をなくし視覚・識別・認知度を大きく改善した。よって意識効果はきわめて大きい。請求項１及び図１【００１１】  本考案の最大効果は三原色Ｒ・Ｇ・Ｂ自己点滅ＬＥＤ１個のＬＥＤ光源が虹色発光を成すこと、且つ請求項２及び請求項３の相互効果で各部品サイズまで小型化され顧客が好む装飾品に接合を可能にした。
【実施例】
【００１２】  図面１は本考案の一実施例で金属製収納容器▲５▼▲６▼に電池▲７▼、スイッチ機能部▲８▼▲９▼がネジの止メ付け部▲１１▼の外圧によって▲８▼の尖端が電池一極面に接触して通電する機構である。且つ収納容器先端に設置した三原色Ｒ・Ｇ・ＢＬＥＤ▲４▼に加電され軟質性絶縁体の圧縮力が各電池▲７▼の３個を圧着することで電池＋極面がＬＥＤ▲４▼に加算されて点灯する。【００１３】  加電の遮断は、収納容器▲５▼のネジ付けをゆるめることで各接触面、電池▲７▼、及基板▲１０▼の接点が開放されて通電を遮断する且つ軟質性絶縁体の残留圧が電池▲７▼、基板▲１０▼及びＬＥＤ発光源▲４▼を固定し衝撃保護も兼ねる構造。【００１４】  図１で発光ダイオードの点灯−消灯の実施例を説明すると金属製収納容器▲５▼は電気回路の一部として機能するように容器先端に設置したＬＥＤ光源▲４▼に容器ネジ部▲１１▼の止め込みにより接点部▲８▼が電池一極面に接触し容器▲５▼・▲６▼を介してＬＥＤ光源へ一極電位が加電されて点灯する。
消灯は容器ネジ部▲１１▼をゆるめる操作で軟質性絶縁体の残留圧力が尖端接触部▲８▼を離すことによって遮断し消灯する。【００１５】  図１で本考案の一実施例概要を記述する
〔００１２〕、〔００１３〕、〔００１４〕で各機能を説明したがこの機能の組合せで本考案の最も重要な機能の発光源を三原色Ｒ・Ｇ・Ｂ自己点滅ＬＥＤ▲４▼を設置した直前に反射機能材▲２▼や分光分散機能材▲３▼細片を内蔵した球状凹凸多面体▲１▼が内蔵する反射板▲２▼で分光分散機能材細片群▲３▼に照射され乱光する二次光源が放射状発光体となり周辺照明と視野角を拡大する三原色ＬＥＤの自動点滅方式に視覚感度を増強させる夜間の事故防止策に対応した回路収納容器▲５▼▲６▼が回路機能を兼ね時計電池で動作する．小型化は照明器具のみならず人やペットの装着具も小型化した安全保障表示装具。【００１６】  図２は本考案の請求項２及び実施例で記述するスイッチ機構の接点局部の拡大図で動作の説明図である
収納容器▲５▼に一体化した尖端状接点部▲８▼と電池▲７▼の中間に設置した貫通孔を設けた軟質性絶縁材▲９▼で構成するスイッチ機構で容器ネジ▲１１▼の締め込みで尖端状接点部▲８▼が絶縁材を貫通して電池▲７▼に接触することで点灯する．消灯は、容器ネジ▲１１▼を緩めることで接点部▲８▼が電池▲７▼と離れ通電を遮断する容器のネジ部▲１１▼の締め込み、緩め動作により軟質性絶縁材の残留圧力で接続接断を繰り返すスイッチ機構を特徴とする耐久性に富む小型スイッチである。
図２−１は回路接断時図  ２−２は接続時を示す【００１７】  図３は本考案の実施例〔００１５〕の球状凹凸多面体▲１▼を改造した用途拡大  新市場構築を目的に考案したＬＥＤ光源の放射状照明器具の考案図である。
図３は市販品のＬＥＤのモールド型レンス部位▲１２▼を切断して本考案の反射板▲１６▼分光分散機能材細片▲１７▼を内蔵させ反射を繰り返す乱光作用が放射光を発起する反射板▲１６▼と分光分散機能材▲１７▼を内蔵する光学機能内蔵型レンズ再接合した図３−５図が完成図である。一光束、一方向照射光を放射状発光体にする構成順を図解する。
図３−３
モールド型レンズ部▲１２▼を切断部▲１３▼で切断する
図３−４
本考案の光学機能内蔵型レンズ▲１５▼内蔵する反射板▲１６▼及び分光、分散機能材細片群▲１７▼で構成する光学機能内蔵型レンズ
図３−５
図３−３の切断図▲１３▼に図３−５光学機能内蔵型レンズ▲１５▼を接合した放射状発光のＬＥＤ素子完成図である。【００１８】  図４は曲面体容器に液体を注入し封止込みレンス作用を促す集光用液体レンズの構成順の図解図である。
図４
凸レンズ形状の中空容器▲１９▼に液体を注入▲２０▼して漏れ防止のパッキング▲２１▼と封止込みネジ▲２２▼で液体レンズ機能を構成する  液体レンズはＬＥＤ発光輝度を高く高輝度化するために集光するレンズ機能で用途に応じ封止込む液体機能の選択で対応できる。
図４−７
発光ダイオードの発光素子▲２４▼上に液体レンズ部▲１９▼を接合する光源部である。
図４−８
発光ダイオード▲２４▼の直前に付設した液体レンズ機能の完成図。
液体レンズは封止込む機能材料で自由に機能を取替えることの出来る用途拡大が容易な部品である
実例では封入する色素材によって高輝度白色ＬＥＤを有色ＬＥＤに簡単に変更することができ有色ＬＥＤの欠点である低輝度を高輝度化も可能にする。光学フィルター効果の応用した実例である。
【産業上の利用可能性】
【００１９】  夜間活動人口の増加による夜間の事故件数が増加の傾向にある。
本考案の安全保障表示装具は三原色Ｒ・Ｇ・Ｂ自己点滅ＬＥＤの採用によって赤・緑・青色発光がじわっと色彩が変る虹色発光が交互に変化する点滅は、自然界に無い意外性に富み多色発光・多面体レンズで高輝度化・乱光反射機能で放射状照明の三要素が視覚力を促すため存在認識、認知の速さが事故を未然に予防する。
【図面の簡単な説明】
【００２０】
【図１】三原色Ｒ・Ｇ・Ｂ事故点滅ＬＥＤ付きの安全保障表示装具の構造断面図  （実施例１）
【図２】安全保障表示装具［図１］の安全表示点灯用スイッチ機構の構成する拡大断面図
【図３】ＬＥＤに２次光源付設する２次光源化の製作方法と原理断面図  （実施例２）
【図４】ＬＥＤに付設する液体レンズの製作方法と原理断面図  （実施例３）
【符号の説明】
【００２１】▲１▼  球状凹凸多面体レンズ
▲２▼  球状凹凸多面体レンズに内蔵する反射板片
▲３▼  球状凹凸多面体レンズに内蔵する分光分散材細片の群集部
▲４▼  三原色Ｒ・Ｇ・Ｂ自己点滅ＬＥＤ
▲５▼  安全表示装具の金属製母体（本体）…ＬＥＤ、電池収納部
▲６▼  安全表示装具の金属製母体（本体）…スイッチ機能部
▲７▼  ボタン電池
▲８▼  スイッチ機構の可動接点（尖端部）
▲９▼  スイッチ機構部の接点間に付設した貫通孔軟質性絶縁材
▲１０▼  プリント基板
▲１１▼  電気回路収納用ネジ部兼スイッチ駆動ネジ
▲１２▼  ＬＥＤ製品のレンズ部
▲１３▼  ＬＥＤ製品のレンズ切断面
▲１４▼  ＬＥＤ製品の発光素子部位
▲１５▼  考案レンズ（Ｉ）光学機能材内蔵型レンズ
▲１６▼  ▲１５▼の接合部位
▲１７▼  ＬＥＤ＋極アウターリード
▲１８▼  ＬＥＤ−極アウターリード
▲１９▼  考案レンズ（ＩＩ）液体レンズの曲面容器
▲２０▼  液体封止込み部
▲２１▼  漏れ防止パッキング
▲２２▼  液体封止ネジ部
▲２３▼  ＬＥＤ発光素子と光学機能材内蔵型レンズ接合接着部
▲２４▼  ＬＥＤ発光素子部
【手続補正３】
【補正対象書類名】図面
【補正対象項目名】全図
【補正方法】変更
【補正の内容】
【図１】
0003119815.tif 000007
【図２】
0003119815.tif 000008
【図３】
0003119815.tif 000009
【図４】
0003119815.tif 000010
【手続補正書】
【提出日】平成17年11月20日(2005.11.20)
【手続補正１】
【補正対象書類名】実用新案登録請求の範囲
【補正対象項目名】全文
【補正方法】変更
【補正の内容】
【実用新案登録請求の範囲】
【請求項１】
三原色Ｒ・Ｇ・Ｂ自動点滅ＬＥＤを利用した装身具において、光分散材を内蔵した球状凹凸多面レンズでＬＥＤ発光素子を包囲したレンズ機構部とシリコンゴムの弾性力を利用したスイッチ機構を備えて、小型化したことを特徴とする三原色Ｒ・Ｇ・Ｂ自動点滅ＬＥＤ安全表示装身具。
【請求項２】
請求項１の球状凹凸多面レンズの内部に着色液体を挿入した液体レンズ機能と発光色変換フィルター作用を兼ね備えた請求項１の三色Ｒ・Ｇ・Ｂ自動点滅ＬＥＤ安全表示装身具。